(57)【要約】【課題】空のペットボトルの有効利用を主目的とする替えキャップを提供する。【解決手段】ペットボトルの専用キャップと同一寸法および同一形状のめねじが形成されており、専用キャップの代わりに用いることができる替えキャップ本体２に、他物品との連結に用いるリング状部材３を取り付ける。リング状部材３を所望の箇所に結び付け、空のペットボトルあるいは砂や水が入ったペットボトルの開口部に替えキャップ本体２を差し込むことで、即席の浮き輪にしたり重石にしたりすることができる。【選択図】図１
0003202698.tif 000002
【実用新案登録請求の範囲】
【請求項１】
ペットボトルの専用キャップと同一寸法および同一形状のめねじが内側に形成された替えキャップであって、他物品との連結に用いるリング状の部材が取り付けられていることを特徴とするペットボトル用替えキャップ。
【請求項２】
前記リング状の部材は防水性があることを特徴とする請求項１に記載のペットボトル用替えキャップ。
【請求項３】
ペットボトルの内部を照らす照明手段が天面の内側に設けられていることを特徴とする請求項１又は２のいずれかに記載のペットボトル用替えキャップ。
【請求項４】
前記照明手段はＬＥＤライトあるいはケミカルライトであることを特徴とする請求項３に記載のペットボトル用替えキャップ。
【考案の詳細な説明】
【技術分野】
【０００１】
ペットボトル専用のキャップの替わりにボトル本体の開口部を開閉する替えキャップであって、取付られているリング状の部材を利用することによって空きペットボトルの有効利用を可能とするペットボトル用替えキャップに関する。
【背景技術】
【０００２】
空になったペットボトルを中身の飲料を飲み終えた後ただちに廃棄するのは資源の有効利用の観点から問題がある。その上ペットボトルは、軽い、丈夫、透明、等種々の利点があるのだから、再利用しないのはもったいないと多くの人は考えている。そのため、空のペットボトルを有効利用しようとする見地からいろいろなアイデアが特許・実用新案登録出願されている。特許文献１・２もその一例である。
【０００３】
特許文献１には、ペットボトルのキャップ上部に穴のあいた突起物を設け、この穴に紐状の物を通しそれを利用して浮き具として使用できる「ペットボトル用浮き具キャップ」に関する考案が開示されている。
特許文献２には、ペットボトルの蓋の外側に、紐を通せる穴を設けたことにより、緊急時には、ペットボトルを救命器具として使用可能とする「清涼飲料のペットボトルの蓋の上側に、リング（輪）状の穴を作り、紐を通せる様にした蓋」に関する考案が開示されている。
【先行技術文献】
【特許文献】
【０００４】
【特許文献１】実用新案登録第３１６７４６７号公報
【特許文献２】実用新案登録第３１４１１８５号公報
【考案の概要】
【考案が解決しようとする課題】
【０００５】
特許文献１および特許文献２に記載の考案はいずれも、単にキャップに穴を開けただけなのである。だから浮き具として利用する必要が生じた時は、利用者が穴に紐を通さなくてはならず、それでは一刻を争う緊急時に役立つとは思えない。
また、いずれの考案も、飲料入りのペットボトルとして販売する時点で蓋に穴が空いていなくてはならないが、これでは既存のペットボトル容器に変更を加える必要がある。緊急時用という特殊なケースのために、容器にコストをかける飲料メーカーがあるとは思われない。
【０００６】
そこで、本考案は、従来のペットボトルに変更を加えず、空のペットボトルを有効利用できるグッズを提供することを目的とする。
【課題を解決するための手段】
【０００７】
上記の目的を達成するために、本考案が提供するペットボトル用替えキャップは、
ペットボトルの専用キャップと同一寸法および同一形状のめねじが内側に形成された替えキャップであって、他物品との連結に用いるリング状の部材（例：鎖、金属のリング、布や皮製の紐など）が取り付けられていることを特徴とする。
「他物品との連結」とは、例えば、下記の実施の形態におけるビニールシートのハトメや他の替えキャップのリング状部材と結び付けることをいう。
これにより、飲料を飲み終えた後のペットボトル（以下、「空のペットボトル」という）をさまざまな用途に利用できる。
本来のキャップの替わりにペットボトル本体に取り付けるので、飲料メーカは従来のペットボトルのキャップに何ら変更を加える必要はない。本考案の替えキャップは、複数個を袋詰めして１００円ショップなどで販売されるのに適している。
【０００８】
リング状の部材は防水性があるとよい。本考案の替えキャップの主要な用途として、空のペットボトルを浮き具として利用することがある。もし、替えキャップ本体の天面に貫通穴を設け、この貫通穴にリング状部材としての紐や布などを通した場合、海面に長時間漂っている間に、紐や布などを伝わってペットボトル内に海水が入ってくるおそれがある。これを防ぐには、リング状部材の材質によっては防水性があることが望まれる。
【０００９】
ペットボトルの内部を照らす照明手段が天面の内側に設けられているとよい。この照明手段として、ＬＥＤライトやケミカルライトを用いるとよい。
これにより、本考案の替えキャップをつけた空のペットボトルを暗い場所や夜間に利用できる。また、照明を落とした室内に飾るインテリアグッズとして空のペットボトルを用いる場合に便利である。
【考案の効果】
【００１０】
本考案のペットボトル用替えキャップを使えば、空のペットボトルを重石や浮き輪の代わり、或はインテリアグッズとして利用できる。
【図面の簡単な説明】
【００１１】
【図１】実施の形態の替えキャップの（１）斜視図、（２）断面図である。
【図２】実施の形態の替えキャップを他の物品に取り付ける手順を説明する図である。
【図３】実施の形態の替えキャップを付けたペットボトルをビニールシートの重石代わりに利用する状態を説明する図である。
【図４】実施の形態の替えキャップの紐同士を繋げ、ペットボトルを即席の浮き具とする状態を説明する図である。
【図５】他の実施の形態の替えキャップの部分断面図である。
【図６】他の実施の形態の替えキャップをインテリアグッズとして利用する状態を説明する図である。
【図７】替えキャップ本体の他の実施例を示す図である。
【考案を実施するための形態】
【００１２】
以下、図面を参照しながら本考案の実施の形態の替えキャップ１について説明する。
【００１３】
図１に示すように、替えキャップ１は、替えキャップ本体２とリング状の紐３とからなる。替えキャップ本体２は、内側にめねじ２１が形成されている。このめねじ２１は、市販の飲料入りペットボトルに用いられるキャップの内側に形成されているめねじと同一形状および同一寸法を有する。つまり、替えキャップ本体２は、市販の飲料入りペットボトルのキャップの代わりにペットボトル本体の開口部に差し込むことができる。  替えキャップ本体２には、紐３が取り付けられている。紐３の材質は布でも革でもよい。また、紐３は、図１では、替えキャップ本体２の天面２２に貫通穴を開け、紐３の両端部を挿通させて替えキャップ本体２の内側に固着させている。紐３は防水加工が施されていることが望ましい。紐３を伝ってペットボトル本体の内側に水分が入らないように、少なくとも紐３の端部（図１の一点鎖線で囲んだ部分）は防水性が必要である。後述するように、替えキャップ１を付けた空ペットボトルを浮き具として使用することがあるからである。
【００１４】
替えキャップ１は、ペットボトル本体に差し込み可能なキャップ本体２に、紐３を付加しただけの簡単な構造ではあるけれど、紐３によって他の物品に連結できるので空のペットボトルの利用範囲が拡がるのである。
ここでは、利用例Ａ，利用例Ｂを説明する。
利用例Ａ：ピクニックなどでビニール製などのシート（以下、「ビニールシート」という）を押さえる重石がわりに使う。
利用例Ｂ：川や池や海などで溺れそうになった場合の浮き具かわりに使う。
【００１５】
利用例Ａ，Ｂを説明する前に、紐３を他の物品に固定させる手順について図２を参照しながら説明する。
図２では説明の便宜上、棒状の物品１００に紐３を結びつけるものとする。
目的によって、物品１００が種々変わるのは言うまでもない。
図２（１）に示すように、リング状の紐３の上に棒状物品１００が載っている。棒状物品１００の一方の側にある替えキャップ本体２を矢印Ｒ１のように棒状物品１００の他方の側にある紐３のリングの内部に上方から通す。次に図２（２）に示すように、替えキャップ本体２を矢印Ｒ２の方向に引っ張ると、図２（３）に示す状態となる。ここで、替えキャップ本体２を矢印Ｒ３の方向に引っ張ると紐３は棒状物品１００に固く結び付けられ、容易にほどけることはない。
【００１６】
まず、利用例Ａについて説明する。
キャンプや花見などに行くときに、ビニールシートを持参することが多い。風で飛ばされないように、ビニールシートを重量のある荷物で押さえたり、手近にある手ごろな大きさの石を重石代わりにすることは、しばしば行われる。しかし、ビニールシートを上から押さえるだけなので、人がビニールシートの上を歩いたりするとビニールシートが動いてしまい不便である。ところで、図３に示すように、ビニールシート２００には、隅にハトメ２０１が設けられているものがある。そこで、本考案の替えキャップ１の紐３をハトメ２０１に結び付ける。結び付け方は、図２で説明した棒状物品の場合と同様である。
紐３をハトメ２０１にしっかりと結び付けたなら、本来の飲料のかわりに水や砂を入れたペットボトル本体３００に替えキャップ本体２を差し込む。これにより、ペットボトルをビニールシート２００から離脱しない重石として使うことができる。
【００１７】
次に、利用例Ｂについて説明する。
空ペットボトルを浮き具とする場合は、図４（１）に示すように、２個の替えキャップ１Ａ，１Ｂを用いる。一方の替えキャップ１Ａの紐３Ａに、他方の替えキャップ１Ｂの紐３Ｂを解けないように結び付ける。結び付け方は、図２で示した手順と同様である。
２つの替えキャップ本体２Ａ，２Ｂを、空ペットボトルの本体４００Ａ、４００Ｂのそれぞれに差し込む。
水遊びに慣れない子供が川や池で思うように泳げず、水を怖がっているような場合、図４（１）に示すような簡易浮き具を子供に向かって投げ込むとよい。例えば、紐３Ａと３Ｂとの結び目（図４の一点鎖線で囲んだ部分）に手や腕等を載せるだけで、体全体が浮き上がったような感覚になる。さらに、空ペットボトル４００Ａ、４００Ｂのそれぞれを左右の手で握ったり、左右の腕に抱えたりすると十分に浮き輪の役割を果たす。
なお、図４（２）に示すように３個の替えキャップ１を用いて、３本の空ペットボトルの本体をつなげた浮き具としてもよい。勿論４本以上からなる浮き具とすることもできる。
【００１８】
次に、第２の実施の形態の替えキャップ１１について図５を参照しながら説明する。
替えキャップ１１は、替えキャップ本体１２と紐１３とからなる。図１に示す替えキャップ１の全高Ｈ１は、内高ｈ１に天面の厚さを加えたものである。一方、替えキャップ１１の全高Ｈ２は、内高ｈ１と天面の厚さにさらに照明手段１４の収納部の高さｈ２を加えたものである。照明手段１４は、電池を含む電気回路基板１４ＡとＬＥＤ１４Ｂとスイッチ１４Ｃと透明なカバー１４Ｄから構成される。カバー１４Ｄは、電気回路を水や砂などから保護するものである。また、スイッチ１４Ｃのオン／オフは、可撓性のある材質を用いたカバー１４Ｄの上からスイッチ１４Ｃを押したり、ＬＥＤ１４Ｂを覆っている部分を摘んで回転したり等によって行う。
なお、照明手段としてケミカルライトを用いてもよい。
【００１９】
替えキャップ１１も工夫次第でいろいろな用途が考えられるが、ここでは、利用例Ｃ、Ｄについて説明する。
利用例Ｃ：言うまでもなく「照明」として利用できる。例えば、替えキャップ１１を夜間のお花見に持参すれば、重石と照明を兼用する。
また、夜釣りに携行すれば、万が一釣り仲間が海に転落したような場合、浮き具と照明を兼用する。
利用例Ｄ：照明を落とした室内のインテリアグッズとしても利用できる。
図６は、空きペットボトルに水中花５００を入れたものであるが、替えキャップ１１を用いると、壁のフック（図示せず）などに吊るすことができるだけでなく、水中花５００に光を当てて一層美しく見せることができる。
【００２０】
上記の実施の形態は、本物品の構成に関しても利用例に関しても、いずれも例示に過ぎない。
例えば、紐の代わりにチェーンや金属のリングを用いてもよい。
また、替えキャップ本体の天面から内側に紐を挿通するための貫通穴ではなく、外側に紐を通すための穴を開けてもよい。図７に示す替えキャップ本体３１では、天面３２の中央部に２つの凹部３３を設け、凹部３３同士の仕切りに紐を通すための穴３４を形成している。
上記利用例Ａ、Ｂ、Ｃ、Ｄにしても一例にすぎない。連結対象の物品を変えることによって、本考案の替えキャップは、これ以外にも種々の用途に利用出来る。
なお本考案の替えキャップは、複数個を袋に入れて、１００円ショップなどで販売するとよい。その際、豊富な利用例の説明書を付けるとよい。また、替えキャップ本体の外側に紐を通す穴を設けている場合は、紐を通さない状態で販売してもよい。例えば、１個以上の替えキャップ本体と２本以上の色の異なる紐をセットで販売すれば、購入者は自分の好みの色の紐を替えキャップ本体に付けることができる。
【産業上の利用可能性】
【００２１】
ペットボトル入りの飲料が広く普及している昨今、中身の飲料を飲み終えた後のペットボトルの有効利用が望まれる。本考案は、有効利用のために役立つグッズとして需要が期待できる。
【符号の説明】
【００２２】
１：替えキャップ、２：替えキャップ本体、３：リング状部材、
１１：替えキャップ、１２：替えキャップ本体、１３：リング状部材、１４：照明手段
【図１】
0003202698.tif 000003
【図２】
0003202698.tif 000004
【図３】
0003202698.tif 000005
【図４】
0003202698.tif 000006
【図５】
0003202698.tif 000007
【図６】
0003202698.tif 000008
【図７】
0003202698.tif 000009